(57)【特許請求の範囲】
【請求項１】
横長矩形形状の矩形枠の上面に天板が取付けられ、該矩形枠の両長手方向端部にそれぞれ掛止金具が突出して取付けられ、しかも、昇降用開口と該昇降用開口を開閉する蓋が長手方向端部に設けられている有蓋足場板において、
該有蓋足場板の長手方向端部に角部を残して前記昇降用開口が設けられ、前記角部上に足載せ部が形成され、
前記昇降用開口に蓋載置用鍔部が設けられ、該蓋載置用鍔部にロック機構を介して前記蓋が着脱自在に掛止され、前記ロック機構が、前記蓋の周縁部に揺動自在に取付けられると共にスプリングの付勢力によって前記蓋載置用鍔部に自動的に掛止されるストッパーを具備し、かつ、該ストッパーの上部と下部に、それぞれ、該ストッパーと前記蓋載置用鍔部との掛止を解除するための上部摘まみレバーと下部押圧レバーとが一体的に取付けられていることを特徴とする有蓋足場板。
【請求項２】
前記昇降用開口の形状を長軸が前記有蓋足場板の長手方向に伸延する長円形としたことを特徴とする請求項１記載の有蓋足場板。
【請求項３】
前記昇降用開口の形状を長軸が前記有蓋足場板の長手方向に伸延する楕円形としたことを特徴とする請求項１記載の有蓋足場板。
【請求項４】
前記昇降用開口の形状を長軸が前記有蓋足場板の長手方向に伸延する多角形としたことを特徴とする請求項１記載の有蓋足場板。
【請求項５】
横長の矩形枠の上面に、下面に補強リブを具備する天板を取付けることによって構成される無蓋足場板の一部を切り抜くことによって、前記昇降用開口が形成されることを特徴とする請求項１〜４のいずれか１項に記載の有蓋足場板。
【請求項６】
前記昇降用開口の切り抜き片が該昇降用開口の蓋用天板として用いられることを特徴とする請求項５記載の有蓋足場板。
【発明の詳細な説明】
【０００１】
【発明の属する技術分野】
本発明は、建築・土木作業現場や一般家庭において、外装作業や内装作業のために足場を構築する際に用いられる有蓋足場板に関する。
【０００２】
【従来の技術】
従来、上記した目的に供される足場構造として、図１５に示すように、落下事故等の防止のため、内側から階段を昇降可能な構成を有する足場構造Ｃがある。
図示するように、かかる足場構造Ｃは、それぞれ前後方向に配設された二対の前、後垂直支柱９０、９１及び９２、９３を左右方向に間隔を開けて配設すると共に、前、後垂直支柱同士９０、９１及び９２、９３を、上下方向に間隔を開けて配設された複数の水平連結部材９４、９５によって連結し、かつ、水平連結部材９４、９５とその下方に位置する補助水平連結部材９４ａ、９５ａを、足場構造Ｃの前後に配列されたブレース９７、９８及び９９、１００によってたすき掛けで連結することによって構成されている。
【０００３】
水平連結部材９４、９５には前、後足場板１０１、１０２の両端が着脱自在に掛止されており、前足場板１０１の一長手方向端部には昇降用開口１０３が設けられており、昇降用開口１０３は蓋１０４によって開閉される。
図１５に示すように、上記構成を有する足場構造Ｃの左右側部には、垂直梯子１０９、１１０が設けられている。即ち、各垂直梯子１０９、１１０は、それぞれ、水平連結部材９４、９５と、その下方に位置する補助水平連結部材９４ａ、９５ａ同士を連結する垂直梯子部材１０５、１０６と、これらの垂直梯子部材１０５、１０６と前垂直支柱９０、９２との間に上下方向に間隔を開けて取付けられる複数の水平梯子部材１０７、１０８とから形成される。一方、最下段の垂直梯子部材１０５、１０６と後垂直支柱９１、９３との間には作業者出入口１１１、１１２が設けられている。
【０００４】
かかる構成によって、図１５及び図１６に示すように、作業者Ｗは、例えば、作業者出入口１１２より足場構造Ｃの内部空間に入り、垂直梯子１１０を内側から昇ると共に蓋１０４を開け、昇降用開口１０３をくぐり抜けて前足場板１０１上に立ち、その後、蓋１０４を閉じて、所望の高所作業を行うことができる。このように、作業者Ｗは、垂直梯子１１０を内側から昇るので、万一落下しても落下高さが低いので、落下事故を可及的に少なくかつ軽微なものとすることできる。
【０００５】
【発明が解決しようとする課題】
しかし、上記した従来の足場構造Ｃは、未だ、以下の解決すべき課題を有していた。
即ち、図１５及び図１６に示すように、昇降用開口１０３の形状は、前足場板１０１の長手方向端部の形状に合わせて矩形形状をなしている。従って、作業者Ｗが垂直梯子１１０を内側から昇ると共に蓋１０４を開け、昇降用開口１０３をくぐり抜けて前足場板１０１上に立つ際に、足Ｆを、狭幅の左右方向蓋枠１１３と前後方向蓋枠１１４とから形成されるＬ字形状の狭隘な角部１１５に載せなくてはならず、作業者Ｗの前足場板１０１間の上昇動作を不安定なものとし、足を滑らす等の落下事故の原因ともなっていた。このことは、作業者Ｗの前足場板１０１間の下降動作においても同様であった。
【０００６】
なお、図１７に示すように、実開平６−３２５７６号公報に、足場板１１６の中央部に、蓋１１８によって開閉される昇降用開口１１７を設け、垂直梯子１１９を通して足場板１１６間を昇降することができる足場構造Ｄが提示されている。しかし、この場合も、昇降用開口１１７が横長矩形形状を有するため、垂直梯子１１９を登り、上り時に昇降用開口１１７をくぐり抜けて足場板１１６上に立つ際に、足の前半部を足場板１１６の一側側縁から空中に突出しなければならず、作業者の足場板１１６間の上昇動作を不安定なものとし、足を滑らす等の落下事故の原因ともなっていた。このことは、作業者の足場板１１６間の下降動作においても同様であった。さらに、足場板１１６の中央部に昇降用開口１１７を設けることによって、足場板１１６の機械的強度を低下させることにもなっていた。
【０００７】
また、従来の足場板１０１、１１６においては、昇降用開口１０３、１１７の形成と蓋１０４、１１８の製作は全く別個に行われており、昇降用開口１０３、１１７を形成するに際して切り抜かれる切り抜き板の有効利用は何ら図られていなかった。
【０００８】
本発明は、このような事情に鑑みなされたものであり、昇降用開口を通して上方の足場板に立つ際に、作業者が不安感を抱くことなく安全に足場板間を昇降できる有蓋足場板を提供することを目的とする。
【０００９】
【課題を解決するための手段】
前記目的に沿う請求項１記載の有蓋足場板は、横長矩形形状の矩形枠の上面に天板が取付けられ、該矩形枠の両長手方向端部にそれぞれ掛止金具が突出して取付けられ、しかも、昇降用開口と該昇降用開口を開閉する蓋が長手方向端部に設けられている有蓋足場板において、
該有蓋足場板の長手方向端部に角部を残して前記昇降用開口が設けられ、前記角部上に足載せ部が形成され、
前記昇降用開口に蓋載置用鍔部が設けられ、該蓋載置用鍔部にロック機構を介して前記蓋が着脱自在に掛止され、前記ロック機構が、前記蓋の周縁部に揺動自在に取付けられると共にスプリングの付勢力によって前記蓋載置用鍔部に自動的に掛止されるストッパーを具備し、かつ、該ストッパーの上部と下部に、それぞれ、該ストッパーと前記蓋載置用鍔部との掛止を解除するための上部摘まみレバーと下部押圧レバーとが一体的に取付けられている。
【００１０】
請求項２記載の有蓋足場板は、請求項１記載の有蓋足場板において、前記昇降用開口の形状を長軸が前記有蓋足場板の長手方向に伸延する長円形としている。
請求項３記載の有蓋足場板は、請求項１記載の有蓋足場板において、前記昇降用開口の形状を長軸が前記有蓋足場板の長手方向に伸延する楕円形としている。
請求項４記載の有蓋足場板は、請求項１記載の有蓋足場板において、前記昇降用開口の形状を長軸が前記有蓋足場板の長手方向に伸延する多角形としている。
【００１１】
請求項５記載の有蓋足場板は、請求項１〜４のいずれか１項に記載の有蓋足場板において、横長の矩形枠の上面に、下面に補強リブを具備する天板を取付けることによって構成される無蓋足場板の一部を切り抜くことによって、前記昇降用開口が形成される。
請求項６記載の有蓋足場板は、請求項５記載の有蓋足場板において、前記昇降用開口の切り抜き片が該昇降用開口の蓋用天板として用いられる。
【００１２】
【発明の実施の形態】
続いて、添付した図面を参照しつつ、本発明を具体化した実施の形態につき説明し、本発明の理解に供する。
【００１３】
図１〜図３を参照して、本発明の一実施の形態に係る有蓋足場板の構成について説明する。
図１に示すように、有蓋足場板Ａは、その後部に並設されている無蓋足場板Ａ１と共に、実質的に、足場構造Ｂの一部として形成されている。有蓋足場板Ａは、無蓋足場板Ａ１と同様に、好ましくはアルミニウム合金製とする。また、有蓋足場板Ａは、足場構造Ｂの一部として用いられるのみでなく、単一物として製造され、市場で販売され得るものであることはいうまでもない。
【００１４】
まず、足場構造Ｂの全体構成について、図１を参照して説明する。
図示するように、足場構造Ｂは、それぞれ前後方向に配設された二対の前、後垂直支柱１０、１１及び１２、１３を左右方向に間隔を開けて配設すると共に、前、後垂直支柱同士１０、１１及び１２、１３を、上下方向に間隔を開けて配設された複数の水平連結部材１４、１５によって連結し、かつ、水平連結部材１４、１５とその下方に位置する補助水平連結部材１４ａ、１５ａ同士を、足場構造Ｂの前後に配列されたブレース１６、１７及び１８、１９によってたすき掛けで連結することによって構成されている。
【００１５】
水平連結部材１４、１５には、有蓋足場板Ａの両端と、同様な形状を有する無蓋足場板Ａ１の両端が、掛止金具２０、２１及び２２、２３によって着脱自在に掛止されている。また、有蓋足場板Ａの一長手方向端部には昇降用開口２４が設けられており、この昇降用開口２４は蓋２５によって開閉される。
水平連結部材１４、１４間、及び１５、１５間には、垂直梯子３０、３１が取付けられている。即ち、垂直梯子３０、３１は、それぞれ水平連結部材１４、１５とその下方に位置する補助水平連結部材１４ａ、１５ａを連結する垂直梯子部材２６、２７と、これらの垂直梯子部材２６、２７と前垂直支柱１０、１２との間に上下方向に間隔を開けて取付けられる複数の水平梯子部材２８、２９とから形成される。一方、最下段の垂直梯子部材２６、２７と後垂直支柱１１、１３との間には作業者出入口３２、３３が設けられている。
【００１６】
かかる構成によって、図１及び図１１に示すように、作業者Ｗは、例えば、作業者出入口３３より足場構造Ｂの内部空間に入り、垂直梯子３１を内側から昇ると共に蓋２５を開け、昇降用開口２４をくぐり抜けて有蓋足場板Ａ上に立ち、その後、蓋２５を閉じて、所望の高所作業を行うことができる。このように、作業者Ｗは、垂直梯子３１を内側から昇るので、万一落下しても落下高さが低いので、落下事故を可及的に少なくかつ軽微なものとすることできる。
【００１７】
本実施の形態は、上記した構成を有する足場構造Ｂの構築に用いられる有蓋足場板Ａにおいて、長手方向端部に角部を残して昇降用開口２４が設けられ、この角部上に足載せ部３４、３５が形成されていることに特徴を有する。
【００１８】
まず、有蓋足場板Ａの全体構成について説明すると、図２〜図６に示すように、有蓋足場板Ａは、実質的に、前、後枠部材４０、４１と、左、右枠部材４２、４３からなる横長の矩形枠４４と、矩形枠４４の上面に取付けられる同一形状の横長の天板４５とからなり、矩形枠４４は内側に向けて開口するチャンネル部材から形成されている。なお、本実施の形態では、有蓋足場板Ａは、図５を参照して後述するように、前、後枠部材４０、４１と天板４５の半分とが一体成形された一対のアルミ押し型材６３、６４を用いることによって、後述するように容易に製作することができる。
【００１９】
図３及び図５に示すように、天板４５の裏面には、補強リブの一例である２つの縦補強リブ４６、４７と、同様に補強リブの一例である２つの横補強リブ４８、４９とがそれぞれ縦横方向に伸延自在に取付けられている。
また、図２〜図４に示すように、有蓋足場板Ａの両端にはＣ形状の湾曲板部材からなる掛止金具２０、２１が取付けられており、それぞれ、水平連結部材１４、１５に着脱自在に連結されている。
【００２０】
上記した構成を有する有蓋足場板Ａにおいて、本実施の形態では、図１〜図３及び図１１に示すように、有蓋足場板Ａの一端には、長手方向に長軸を有する長円形の昇降用開口２４と、この昇降用開口２４を開閉するための同様に長円形を有する蓋２５が設けられている。
昇降用開口２４は、図６及び図１１に示すように、天板４５の一長手方向端部を長円形に切欠して開口すると共に、天板４５の下面に、この切欠開口の長円形縁部５０に沿って長円形の環状周壁５２を溶接やリベット等によって連結することによって形成される。
【００２１】
環状周壁５２は、外側に向けて開口するチャンネル部材からなる環状の補強枠５３と、補強枠５３の内周面の中間位置に突設される板材からなる環状の蓋載置用鍔部５４とから形成されている。なお、補強枠５３と蓋載置用鍔部５４とは、一体的に引抜成形することによって製作することができる。
図２及び図６に示すように、長円形を有する蓋２５は、内側に向けて開口するチャンネル部材からなる環状の補強枠５５と、補強枠５５の上面に溶接やリベット等で固着される蓋用天板５６とから形成されている。
【００２２】
補強枠５５は昇降用開口２４を形成する環状周壁５２の内面に設けられた蓋載置用鍔部５４上に載置されており、その高さは、昇降用開口２４を形成するための補強枠５３の高さの略２分の１に設定されている。従って、蓋２５によって昇降用開口２４を閉じた際、蓋２５の上面を有蓋足場板Ａの天板４５の上面と面一にすることができる。
蓋用天板５６の下面には、２つの縦補強リブ５７、５８が取付けられている。
【００２３】
また、図２及び図１１に示すように、蓋用天板５６の一側面は、一対のヒンジ５９、６０によって、昇降用開口２４を形成する補強枠５３の対応する個所に枢支連結されており、一方、その他側面は、掛止自在なロック機構６１によって、昇降用開口２４を形成する蓋載置用鍔部５４の対応する個所に着脱自在に掛止されている。
【００２４】
このように昇降用開口２４と蓋２５とを長円形にすることによって、図１〜図３及び図１１に示すように、昇降用開口２４の内周縁を形成する環状周壁５２と有蓋足場板Ａの長手方向端部の角部外周縁との間に形成される角部上に略三角形状の足載せ部３４、３５が形成されることになる。
従って、図１１に示すように、作業者Ｗが垂直梯子３１を内側から昇ると共に蓋２５を開け、昇降用開口２４をくぐり抜けて有蓋足場板Ａ上に立つ際に、足６２を、十分な広さの足載せ面積を有する足載せ部３４、３５、特に、足載せ部３４上に載せることができるので、作業者Ｗは不安感を抱くことなく安全に有蓋足場板Ａ間を昇降することができる。
【００２５】
なお、昇降用開口２４は、上記した長円形に何ら限定されるものではなく、例えば、図１２〜図１４に模式的に示す形状とすることもできる。
即ち、図１２においては、昇降用開口２４ａと、この昇降用開口２４ａを開閉する蓋２５ａが、共に、楕円形を有する構造としている。
図１３においては、昇降用開口２４ｂと、この昇降用開口２４ｂを開閉する蓋２５ｂが、共に、多角形を有する構造としている。
図１４においては、昇降用開口２４ｃと、この昇降用開口２４ｃを開閉する蓋２５ｃが、共に、一側側縁のみを弧状とした構造としている。
【００２６】
かかる構成によっても、有蓋足場板Ａ２〜Ａ４の長手方向端部に、十分な広さの足載せ面積を有する足載せ部３４ａ、３５ａ、３４ｂ、３５ｂ、３４ｃを形成することができ、これらの足載せ部３４ａ、３５ａ、３４ｂ、３５ｂ、３４ｃ上に足を載せることができるので、作業者Ｗは不安感を抱くことなく安全に有蓋足場板Ａ２、Ａ３、又はＡ４間を昇降することができる。
【００２７】
また、本実施の形態に係る有蓋足場板Ａは、以下の構成にも特徴を有する。
即ち、本実施の形態では、図１に示すように、無蓋足場板Ａ１は、昇降用開口２４と蓋２５が設けられていない点を除いて有蓋足場板Ａと全く同一の構成を有している。
【００２８】
従って、図５及び図６に示すように、有蓋足場板Ａにおける蓋２５の蓋用天板５６は、無蓋足場板Ａ１の天板４５と、縦補強リブ４６、４７と共に切り抜くことによって得られる切り抜き片によって容易に形成することができる。そして、この切り抜き片からなる蓋用天板５６の周縁に補強枠５５を取付けることによって容易に蓋２５を形成することができる。また、蓋用天板５６の下面には、上記した切り抜き動作によって、縦補強リブ４６、４７の切り抜き片から形成される縦補強リブ５７、５８が一体的に取付けられることになる。
【００２９】
また、無蓋足場板Ａ１の天板４５から蓋２５の蓋用天板５６と縦補強リブ４６、４７と共に切り抜いた後の長円形縁部５０の下面に環状周壁５２を連結することによって、容易に有蓋足場板Ａの昇降用開口２４を形成することができる。
このように、本実施の形態では、無蓋足場板Ａ１の天板４５を切り抜いた切り抜き片を、有蓋足場板Ａにおける蓋２５の蓋用天板５６として有効利用することができると共に、同一形状の昇降用開口２４も容易に形成することができるので、有蓋足場板Ａを歩留りよく、しかも安価に製作することができる。
【００３０】
さらに、図示の実施の形態に係る有蓋足場板Ａ及び足場構造Ｂの構成におけるその他の構成上の特徴について以下説明する。
図５に示すように、本実施の形態では、有蓋足場板Ａの前、後枠部材４０、４１と天板４５の半分とが一体成形された一対のアルミ押し型材６３、６４の当接する側縁部にそれぞれ下方伸延壁６３ａ、６４ａの基部を連設し、下方伸延壁６３ａ、６４ａの先部を左右対称に外側に向けて屈曲し屈曲部６３ｂ、６４ｂによってＹ字状係合部を形成し、このＹ字状係合部をΩ状係合部材６５に嵌入した後、Ω状係合部材６５を押圧変形してＹ字状係合部をかしめるようにしている。従って、強固に一体化された広幅の有蓋足場板Ａを容易に製作することができる。
【００３１】
無蓋足場板Ａ１も蓋２５を具備しないことを除いて有蓋足場板Ａと同一の構成を有しており、従って、無蓋足場板Ａ１もＹ字状係合部とΩ状係合部材６５との係合によって同様に容易に製作されることになる。
【００３２】
図７〜図１０に、蓋２５を昇降用開口２４に開閉自在にロックするためのロック機構６１を示す。
図示するように、ロック機構６１は、蓋用天板５６の前端に固着されるストッパー受け金７０と、ストッパー受け金７０に上下方向に揺動自在に取付けられるストッパー７１と、ストッパー受け金７０とストッパー７１との間に介設されるスプリングの一例であるヒンジばね８５とから構成される。
【００３３】
即ち、図１０に示すように、ストッパー受け金７０は、実質的に、その前部が蓋用天板５６の補強枠５５内に嵌入される横長矩形の垂直板からなる受け金本体７２と、受け金本体７２の上部から一側方に向けて伸延する状態で連設されると共に蓋用天板５６の裏面に連結ボルト７３によって連結される横長矩形の水平板からなる取付部材７４と、受け金本体７２の下部から他側方に向けて伸延する状態で連設される横長矩形の小水平板からなるストッパー受け部材７５とから構成される。
【００３４】
また、受け金本体７２の前部には、ストッパー７１の前部を、後述する枢支ボルト８６を用いて上下方向に揺動自在に枢支するための枢支孔７６が設けられている。一方、受け金本体７２の中央部には、後述するスプリングの一例であるヒンジばね８５の一端部８５ａを掛止するための第１の掛止孔７７が設けられている。さらに、取付部材７４には、連結ボルト７３を挿通するためのボルト挿通孔７８が設けられている。
【００３５】
一方、ストッパー７１は、図１０に示すように、実質的に、その前部が蓋用天板５６の補強枠５５内に嵌入される横長矩形の垂直板からなるストッパー本体７９と、ストッパー本体７９の下面に連設される側面視でＬ字状の鍔部掛止片８０と、ストッパー本体７９の後部上面から一側方に向けて伸延する状態で連設される矩形の水平板からなる上部摘まみレバー８１と、鍔部掛止片８０の後端に一側方に向けて伸延する状態で連設される矩形の垂直板からなる下部押圧レバー８２とから構成される。上記構成において、鍔部掛止片８０の下縁には円弧状の鍔部摺動接触面８０ａが形成されている。
【００３６】
また、ストッパー本体７９の前部には、ストッパー７１の前部を上下方向に揺動自在に枢支するための枢支孔８３が設けられている。一方、ストッパー本体７９とＬ字状の鍔部掛止片８０との連設部には、後述するヒンジばね８５の他端部８５ｂを掛止するための第２の掛止孔８４が設けられている。
【００３７】
図７〜図９に示すように、上記したストッパー受け金７０と、ストッパー７１と、ヒンジばね８５を用いてロック機構６１を組み立てるに際しては、まず、ストッパー受け金７０の受け金本体７２の前部を補強枠５５の内部に挿入すると共に、その取付部材７４を連結ボルト７３によって蓋用天板５６に連結して、ストッパー受け金７０を蓋２５の前部に一体的に取付ける。
【００３８】
次に、図７に示すように、ストッパー７１をストッパー受け金７０に並設させると共に、ヒンジばね８５をストッパー７１とストッパー受け金７０との間に介設し、その状態を保持しながら、図７及び図１０に示すように、枢支ボルト８６を、ストッパー７１の枢支孔８３と、ヒンジばね８５の環状枢支部８５ｃと、ストッパー受け金７０の枢支孔７６に順次挿通した後、挿通端にナット８７を螺着する。
【００３９】
その後、ヒンジばね８５の他端部８５ｂをストッパー７１に設けられた第２の掛止孔８４に掛止すると共に、ヒンジばね８５の一端部８５ａをストッパー受け金７０の第１の掛止孔７７に掛止することによってロック機構６１を形成することができる。
【００４０】
かかる構成において、蓋２５の閉蓋時には、図７及び図８に示すように、ヒンジばね８５の弾性力によって、ストッパー７１には、枢支ボルト８６周りに時計方向の回転モーメントが常時付与されることになり、この回転モーメントによって、鍔部掛止片８０が自動的に蓋載置用鍔部５４に掛止されることになり、容易かつ確実に蓋２５を昇降用開口２４にロックすることができる。なお、ストッパー７１の過回転はストッパー受け部材７５によって防止することができる。
【００４１】
一方、下の有蓋足場板Ａから上の有蓋足場板Ａに昇る際には、下部押圧レバー８２を上方に持ち上げて、蓋２５に枢支ボルト８６周りの反時計方向の回転を与えることによって、鍔部掛止片８０と蓋載置用鍔部５４との掛止を解除することができ、その後、蓋２５を上方に持ち上げることによって容易に下の有蓋足場板Ａから上の有蓋足場板Ａに移動することができる。
【００４２】
また、上の有蓋足場板Ａから下の有蓋足場板Ａに降りる際には、上部摘まみレバー８１を、蓋用天板５６に設けた矩形形状の開口８８を通して摘んで上方に持ち上げて、蓋２５に枢支ボルト８６周りの反時計方向の回転を与えることによって、鍔部掛止片８０と蓋載置用鍔部５４との掛止を解除することができ、その後、蓋２５を上方に持ち上げることによって容易に上の有蓋足場板Ａから下の有蓋足場板Ａに移動することができる。
【００４３】
上記した開蓋作業を終了した後は、通常、蓋２５を閉じる必要があるが、本実施の形態では、ストッパー７１の鍔部掛止片８０の下縁には円弧状の鍔部摺動接触面８０ａが形成されている。従って、蓋２５の閉動作に伴い、蓋載置用鍔部５４に鍔部摺動接触面８０ａが摺動しながら接触することになり、いったん、ストッパー７１の鍔部掛止片８０は反時計方向に回転されることになる。その後、死点を越えると、ストッパー７１の鍔部掛止片８０が再度時計方向に回転して蓋載置用鍔部５４に自動的に掛止されることになる。
【００４４】
図２、図３、図５及び図６に示すように、有蓋足場板Ａの天板４５及び蓋用天板５６には、共に、上方に向けて凸の滑り止め用突起６６、６７が設けられており、これらの突起６６、６７の中央部には雨水流出孔６６ａ、６７ａが設けられている。従って、作業者Ｗが有蓋足場板Ａ上で作業する場合の滑りに起因する事故を可及的に防止することができる。また、有蓋足場板Ａの天板４５及び蓋用天板５６には、それぞれ複数の小さな縦溝から形成される滑り防止帯６９、６９ａが設けられている。
【００４５】
図４に示すように、掛止金具２１には公知の着脱掛止機構６８が取付けられており、この着脱掛止機構６８を操作することによって掛止金具２１を容易かつ確実に水平連結部材１５に掛止できると共に、逆の手順で操作することによって容易に解除できる。
【００４６】
以上、本発明を、一実施の形態を参照して説明してきたが、本発明は何ら上記した実施の形態に記載の構成に限定されるものではなく、特許請求の範囲に記載されている事項の範囲内で考えられるその他の実施の形態や変容例も含むものである。
例えば、上記した実施の形態では、有蓋足場板を構成する矩形枠と天板とは一対のアルミ押し部材をかしめることによって形成したが、３枚以上のアルミ押し部材をかしめることによって有蓋足場板を形成したり、１枚の広幅のアルミ押し部材を用いて形成したり、天板を矩形枠に溶接することによっても形成することができる。また、ここで、矩形枠とは、４辺全てに枠部材を有するのみならず、長手方向側縁に少なくとも枠部材を有するものも含む。さらに、蓋は枢軸周りに上下方向に揺動して開閉するものに限らず、摺動蓋のように、閉蓋位置と開蓋位置との間で水平方向に移動して昇降用開口を開閉することができる蓋を用いることもできる。
【００４７】
【発明の効果】
請求項１〜６記載の有蓋足場板においては、有蓋足場板の長手方向端部に角部を残して昇降用開口が設けられ、この角部上に足載せ部が形成されるようにしている。従って、作業者が垂直梯子を内側から昇ると共に蓋を開け、昇降用開口をくぐり抜けて有蓋足場板上に立つ際に、足を、十分な広さの足載せ面積を有する足載せ部上に載せることができるので、作業者は不安感を抱くことなく安全に有蓋足場板間を昇降することができる。
また、昇降用開口の蓋載置用鍔部にロック機構を介して蓋が着脱自在に掛止され、ロック機構が、蓋の周縁部に揺動自在に取付けられると共にスプリングの付勢力によって蓋載置用鍔部に自動的に掛止されるストッパーを具備し、かつ、ストッパーの上部と下部に、それぞれ、ストッパーと蓋載置用鍔部との掛止を解除するための上部摘まみレバーと下部押圧レバーとが一体的に取付けられている。従って、下の有蓋足場板から上の有蓋足場板に昇る際には、下部押圧レバーを操作してロックを解除した後、蓋を上方に持ち上げることによって容易に下の有蓋足場板から上の有蓋足場板に移動することができ、一方、上の有蓋足場板から下の有蓋足場板に降りる際には、上部摘まみレバーを操作してロックを解除した後、蓋を上方に持ち上げることによって容易に上の有蓋足場板から下の有蓋足場板に移動することができる。即ち、足場構造における昇降移動を円滑に行うことができる。
【００４８】
特に、請求項２記載の有蓋足場板においては、昇降用開口の形状を長軸が有蓋足場板の長手方向に伸延する長円形としたので、容易に十分な広さの足載せ面積を有する足載せ部を有蓋足場板の長手方向端部に形成することができる。
請求項３記載の有蓋足場板においては、昇降用開口の形状を長軸が有蓋足場板の長手方向に伸延する楕円形としたので、容易に十分な広さの足載せ面積を有する足載せ部を有蓋足場板の長手方向端部に形成することができる。
【００４９】
請求項４記載の有蓋足場板においては、昇降用開口の形状を長軸が有蓋足場板の長手方向に伸延する多角形としたので、容易に十分な広さの足載せ面積を有する足載せ部を有蓋足場板の長手方向端部に形成することができる。
請求項６記載の有蓋足場板においては、横長の矩形枠の上面に、下面に補強リブを具備する天板を取付けることによって構成される無蓋足場板の一部を切り抜くことによって昇降用開口を有する有蓋足場板が形成され、切り抜き片を、蓋用天板として用いる。このように、無蓋足場板の天板を切り抜いた切り抜き片を有蓋足場板の蓋用天板として有効利用することができると共に、昇降用開口も容易に形成することができるので、有蓋足場板を歩留りよく、しかも安価に製作することができる。
【００５０】
【００５１】
【図面の簡単な説明】
【図１】本発明の一実施の形態に係る有蓋足場板を具備する足場構造の斜視図である。
【図２】同平面図である。
【図３】同裏面図である。
【図４】同側面図である。
【図５】図２のＩ−Ｉ線による矢視断面図である。
【図６】図２のII−II線による矢視断面図である。
【図７】ロック機構の平面図である。
【図８】ロック機構のロック状態を示す図７のIII-III線による矢視側断面図である。
【図９】ロック機構のロック解除状態を示す図７のIII-III線による矢視側断面図である。
【図１０】ロック機構の分解斜視図である。
【図１１】有蓋足場板の要部拡大平面図である。
【図１２】変容例に係る有蓋足場板の要部模式図である。
【図１３】変容例に係る有蓋足場板の要部模式図である。
【図１４】変容例に係る有蓋足場板の要部模式図である。
【図１５】従来の足場板を具備する足場構造の斜視図である。
【図１６】同足場板の要部拡大平面図である。
【図１７】従来の足場板を具備する足場構造の斜視図である。
【符号の説明】
Ａ  有蓋足場板                      Ａ１  無蓋足場板
Ａ２  有蓋足場板                    Ａ３  有蓋足場板
Ａ４  有蓋足場板                    Ｂ  足場構造
Ｗ  作業者                          １０  前垂直支柱
１１  後垂直支柱                    １２  前垂直支柱
１３  後垂直支柱                    １４  水平連結部材
１４ａ  補助水平連結部材            １５  水平連結部材
１５ａ  補助水平連結部材            １６  ブレース
１７  ブレース                      １８  ブレース
１９  ブレース                      ２０  掛止金具
２１  掛止金具                      ２２  掛止金具
２３  掛止金具                      ２４  昇降用開口
２４ａ  昇降用開口                  ２４ｂ  昇降用開口
２４ｃ  昇降用開口                  ２５  蓋
２５ａ  蓋                          ２５ｂ  蓋
２５ｃ  蓋                          ２６  垂直梯子部材
２７  垂直梯子部材                  ２８  水平梯子部材
２９  水平梯子部材                  ３０  垂直梯子
３１  垂直梯子                      ３２  作業者出入口
３３  作業者出入口                  ３４  足載せ部
３４ａ  足載せ部                    ３４ｂ  足載せ部
３４ｃ  足載せ部                    ３５  足載せ部
３５ａ  足載せ部                    ３５ｂ  足載せ部
４０  前枠部材                      ４１  後枠部材
４２  左枠部材                      ４３  右枠部材
４４  矩形枠                        ４５  天板
４６  縦補強リブ                    ４７  縦補強リブ（補強リブ）
４８  横補強リブ                    ４９  横補強リブ
５０  長円形縁部                    ５２  環状周壁
５３  補強枠                        ５４  蓋載置用鍔部
５５  補強枠                        ５６  蓋用天板
５７  縦補強リブ                    ５８  縦補強リブ
５９  ヒンジ                        ６０  ヒンジ
６１  ロック機構                    ６２  足
６３  アルミ押し型材                ６３ａ  下方屈曲壁
６３ｂ  屈曲部                      ６４  アルミ押し型材
６４ａ  下方伸延壁                  ６４ｂ  屈曲部
６５  Ω状係合部材                  ６６  突起
６６ａ  雨水流出孔                  ６７  突起
６７ａ  雨水流出孔                  ６８  着脱掛止機構
６９  滑り防止帯                    ６９ａ  滑り防止帯
７０  ストッパー受け金              ７１  ストッパー
７２  受け金本体                    ７３  連結ボルト
７４  取付部材                      ７５  ストッパー受け部材
７６  枢支孔                        ７７  第１の掛止孔
７８  ボルト挿通孔                  ７９  ストッパー本体
８０  鍔部掛止片                    ８０ａ  鍔部摺動接触面
８１  上部摘まみレバー              ８２  下部押圧レバー
８３  枢支孔                        ８４  第２の掛止孔
８５  ヒンジばね                    ８５ａ  一端部
８５ｂ  他端部                      ８６  枢支ボルト
８７  ナット                        ８８  開口
【図１】
0003912839.tif 000002
【図２】
0003912839.tif 000003
【図３】
0003912839.tif 000004
【図４】
0003912839.tif 000005
【図５】
0003912839.tif 000006
【図６】
0003912839.tif 000007
【図７】
0003912839.tif 000008
【図８】
0003912839.tif 000009
【図９】
0003912839.tif 000010
【図１０】
0003912839.tif 000011
【図１１】
0003912839.tif 000012
【図１２】
0003912839.tif 000013
【図１３】
0003912839.tif 000014
【図１４】
0003912839.tif 000015
【図１５】
0003912839.tif 000016
【図１６】
0003912839.tif 000017
【図１７】
0003912839.tif 000018